(57)【要約】【課題】  平流し方式において被処理基板の搬送中に基板上の不要な液を速やかに流し落として処理効率や処理品質を向上させる。【解決手段】  この洗浄プロセス部２４は、一定角度に傾斜したコロ１１２を一定ピッチで並べて傾斜搬送路１１４を構成し、この傾斜搬送路１１４上を移動する傾斜姿勢の基板Ｇに対して紫外線ランプ１２２、ロールブラシ１３０、リンスノズル１３４、エアナイフ１３６等により紫外線オゾン洗浄、スクラビング洗浄、リンス処理、乾燥処理を順次施すようにしている。スクラビング洗浄やリンス処理では、傾斜姿勢の基板Ｇ上から異物や液が重力によって速やかに流し落とされる。【選択図】    図４
2006131372.tif 000002
【特許請求の範囲】
【請求項１】
被処理基板を水平な搬送方向と直交する水平線に対して所定角度傾斜した姿勢で搬送路上を搬送する搬送部と、
前記搬送路上の前記基板に対して所望の処理を施す処理部と、
前記搬送路に設定された第１の位置と、前記第１の位置の上方に設定された第２の位置と、前記第１の位置の下方に設定された第３の位置との間で昇降移動可能なリフト部材を有し、前記第２の位置で水平姿勢の前記基板を前記リフト部材の上に載せ、前記第１の位置で前記基板を前記リフト部材から前記搬送路に移し変えるために、前記第２の位置から前記第１の位置まで下降させる間に前記リフト部材上で前記基板の姿勢を水平姿勢から前記所定角度傾斜した姿勢に変換する基板姿勢変換部と
を有する基板処理装置。
【請求項２】
被処理基板を水平な搬送方向と直交する水平線に対して所定角度傾斜した姿勢で搬送路上を搬送する搬送部と、
前記搬送路上の前記基板に対して所望の処理を施す処理部と、
前記搬送路に設定された第１の位置と、前記第１の位置の上方に設定された第２の位置と、前記第１の位置の下方に設定された第３の位置との間で昇降移動可能なリフト部材を有し、前記リフト部材を前記第３の位置から前記第１の位置まで上昇させて前記基板を前記所定角度傾斜した姿勢のまま前記搬送路から前記リフト部材の上に移し変え、前記第１の位置から前記第２の位置まで上昇させる間に前記リフト部材上で前記基板の姿勢を前記傾斜姿勢から水平姿勢に変換する基板姿勢変換部と
を有する基板処理装置。
【請求項３】
前記基板姿勢変換部が、前記リフト部材を前記第２の位置と前記第３の位置との間で連続的に移動させる請求項１または請求項２に記載の基板処理装置。
【請求項４】
前記搬送部が、前記搬送路上に所定のピッチで棒状のコロを敷設し、各々のコロを前記搬送方向と直交する水平線に対して所定角度傾斜させて回転可能に配置する請求項１または請求項２に記載の基板処理装置。
【請求項５】
前記コロを両端部および中心部でそれぞれ支持する軸受を有する請求項４に記載の基板処理装置。
【請求項６】
前記搬送部が、前記搬送路上で前記基板を搬送するために前記コロを回転駆動する搬送駆動部を有する請求項４または請求項５に記載の基板処理装置。
【請求項７】
前記リフト部材が、
前記搬送方向に所望の間隔を置いて配置され、相隣接する前記コロの間を前記コロとほぼ平行に通り抜けできる複数の棒状または板状の支持部材と、
各々の前記支持部材に所望の間隔を置いて立設された複数本のリフトピンと
を有する請求項４〜６のいずれか一項に記載の基板処理装置。
【請求項８】
前記基板姿勢変換部が、
前記リフト部材の所定箇所に設けられた回転軸を中心として前記支持部材を鉛直面内で回転可能に支持する回転支持部と、
前記リフト部材を水平姿勢と前記所定角度の傾斜姿勢との間で回転移動させるための回転駆動部と、
前記リフト部材と前記回転支持部と前記回転駆動部とを支持するベース部と、
前記ベース部を昇降移動させるための昇降駆動部と
を有する請求項１〜７のいずれか一項に記載の基板処理装置。
【請求項９】
前記回転軸が前記リフト部材の一端部に設けられる請求項８に記載の基板処理装置。
【請求項１０】
前記回転駆動部が、前記リフト部材の中間部ないし他端端に結合されたアクチエータを有する請求項９に記載の基板処理装置。
【請求項１１】
前記基板姿勢変換部が、前記傾斜姿勢の際に下端側となる前記基板の一側面を支持する基板サイド支持部を有する請求項１〜１０のいずれか一項に記載の基板処理装置。
【請求項１２】
前記基板サイド支持部が、搬送方向と平行な水平の回転軸を中心として自転可能なローラを有する請求項１１に記載の基板処理装置。
【請求項１３】
前記第２の位置よりも僅かに低い第４の位置と、前記基板の昇降する領域の外側の第５の位置との間で移動し、前記第４の位置で前記基板を水平姿勢で支持する基板水平支持部を有する請求項１〜１２のいずれか一項に記載の基板処理装置。
【請求項１４】
前記基板水平支持部が、
前記基板昇降領域の外側に設けられた鉛直の回転軸を中心として前記第４の位置と前記第５の位置との間で旋回可能なアームと、
前記アームに取り付けられた１本または複数本の支持ピンと、
前記アームを旋回駆動するアーム駆動部と
を有する請求項１３に記載の基板処理装置。
【請求項１５】
前記処理部が、前記搬送路上の前記基板に処理液を供給するノズルを有する請求項１〜１４のいずれか一項に記載の基板処理装置。
【請求項１６】
前記処理部が、前記搬送路上の前記基板に乾燥用の気体を吹き付けるエアナイフを有する請求項１〜１５のいずれか一項に記載の基板処理装置。
【請求項１７】
被処理基板を所定角度傾斜させて載置するための開口部を有する載置部と、
前記載置部に設定された第１の位置と、前記載置部の上方に設定された第２の位置と、前記載置部の下方に設定された第３の位置との間で前記開口部を通って昇降移動可能なリフト部材を有し、前記第２の位置で水平姿勢の前記基板を前記リフト部材の上に載せ、前記第１の位置で前記基板を前記リフト部材から前記載置部に移し変えるために、前記第２の位置から前記第１の位置まで下降させる間に前記リフト部材上で前記基板の姿勢を水平姿勢から前記所定角度傾斜した姿勢に変換する基板姿勢変換部と
を有するローダ装置。
【請求項１８】
被処理基板を所定角度傾斜させて載置するための開口部を有する載置部と、
前記載置部に設定された第１の位置と、前記載置部の上方に設定された第２の位置と、前記載置部の下方に設定された第３の位置との間で前記開口部を通って昇降移動可能なリフト部材を有し、前記リフト部材を前記第３の位置から前記第１の位置まで上昇させて前記基板を前記所定角度傾斜した姿勢のまま前記搬送路から前記リフト部材の上に移し変え、前記第１の位置から前記第２の位置まで上昇させる間に前記リフト部材上で前記基板の姿勢を前記傾斜姿勢から水平姿勢に変換する基板姿勢変換部と
を有するアンローダ装置。
【発明の詳細な説明】
【技術分野】
【０００１】
本発明は、平流し方式で被処理基板に所定の処理を施す基板処理装置に関する。
【背景技術】
【０００２】
ＦＰＤ（フラット・パネル・ディスプレイ）製造におけるレジスト塗布現像処理システムでは、被処理基板の大型化に有利に対応できる処理方法として、コロやベルト等の搬送体を水平方向に敷設してなる搬送路上で基板を搬送しながら現像処理や洗浄処理等を行うようにした、いわゆる平流し方式が広く用いられている。
【０００３】
従来の平流し方式は、搬送路上で上流端の搬入部から下流端の搬出部まで被処理基板を水平状態で搬送し、搬送路の上方または下方あるいは傍らに配置された複数のツールが搬送路上で移動中または一時停止中の基板に対して各段階の工程処理を施すようにしている。たとえば、スクラバ洗浄処理部では、搬送路に沿って配置したロールブラシ、リンスノズル、エアナイフ等により、それらの傍らを通過する搬送路上の基板に対してスクラビング、リンス、乾燥を順次行うようにしている。その際、スクラビング処理によって基板表面から擦り取られた異物は直後にリンスノズルより吹き掛けられるリンス液によって基板上から洗い落とされ、リンス処理によって基板上に残った液は直後にエアナイフより吹き掛けられるエアによって基板上から取り除かれる。
【特許文献１】特開２００３−８３６７５
【発明の開示】
【発明が解決しようとする課題】
【０００４】
従来の基板処理装置は、水平姿勢の基板に平流しの処理を施すため、基板上に残る異物や液を短時間で取り除くにはリンス液の水量やエアの風量を十分大きくしなければならず、用力の消費量が多いという問題がある。特に、スクラビング洗浄においては、基板上に供給した洗浄液やリンス液を速やかに流し落とさないと、パーティクルが基板表面に再付着する懸念がある。
【０００５】
本発明は、上記のような従来技術の問題点に鑑みてなされたもので、搬送中に被処理基板上の不要な液を速やかに流し落とすようにして処理効率や処理品質を向上させる平流し方式の基板処理装置を提供することを目的とする。
【０００６】
本発明の別の目的は、傾斜型の載置部または搬送路上に被処理基板を無理なストレスをかけずに安全に載置できるようにしたローダ装置および基板処理装置を提供することにある。
【０００７】
本発明の他の目的は、傾斜型の載置部または搬送路から被処理基板を無理なストレスをかけずに安全に取り出せるようにしたアンローダ装置および基板処理装置を提供することにある。
【課題を解決するための手段】
【０００８】
上記の目的を達成するために、本発明の第１の基板処理装置は、被処理基板を水平な搬送方向と直交する水平線に対して所定角度傾斜した姿勢で搬送路上を搬送する搬送部と、前記搬送路上の前記基板に対して所望の処理を施す処理部と、前記搬送路に設定された第１の位置と、前記第１の位置の上方に設定された第２の位置と、前記第１の位置の下方に設定された第３の位置との間で昇降移動可能なリフト部材を有し、前記第２の位置で水平姿勢の前記基板を前記リフト部材の上に載せ、前記第１の位置で前記基板を前記リフト部材から前記搬送路に移し変えるために、前記第２の位置から前記第１の位置まで下降させる間に前記リフト部材上で前記基板の姿勢を水平姿勢から前記所定角度傾斜した姿勢に変換する基板姿勢変換部とを有する。
【０００９】
本発明のローダ装置は、被処理基板を所定角度傾斜させて載置するための開口部を有する載置部と、前記載置部に設定された第１の位置と、前記載置部の真上に設定された第２の位置と、前記載置部の真下に設定された第３の位置との間で前記開口部を通って昇降移動可能なリフト部材を有し、前記第２の位置で水平姿勢の前記基板を前記リフト部材の上に載せ、前記第１の位置で前記基板を前記リフト部材から前記載置部に移し変えるために、前記第２の位置から前記第１の位置まで下降させる間に前記リフト部材上で前記基板の姿勢を水平姿勢から前記所定角度傾斜した姿勢に変換する基板姿勢変換部とを有する。
【００１０】
上記構成の基板処理装置においては、搬送部が基板を搬送路上で傾斜させて搬送し、処理部が傾斜姿勢の基板に所望の処理を施すので、搬送中に被処理基板上の不要な液を速やかに流し落とすようにして処理効率や処理品質を向上させることができる。また、上記構成の基板処理装置およびローダ装置においては、第２の位置に基板が水平状態で搬入または移送された後に、基板姿勢変換機構が、リフト部材を搬送路の下の第３の位置から搬送路の隙間を通り抜けて第２の位置を少し越える高さ位置まで上昇させて基板を水平状態で引き取り、次いでリフト部材を第３の位置まで下降させ、その下降の途中に旋回運動も行わせてリフト部材上で基板の姿勢を水平姿勢から搬送路とほぼ同じ角度の傾斜姿勢に変換し、搬送路の上に基板を傾斜姿勢で平行に載置する。このようなローディング方式によれば、リフト部材から搬送路へ基板を移載する際に基板に応力を掛けずに（撓ませずに）済み、基板を安全に姿勢変換することができる。
【００１１】
また、本発明の第２の基板処理装置は、被処理基板を水平な搬送方向と直交する水平線に対して所定角度傾斜した姿勢で搬送路上を搬送する搬送部と、前記搬送路上の前記基板に対して所望の処理を施す処理部と、前記搬送路に設定された第１の位置と、前記第１の位置の上方に設定された第２の位置と、前記第１の位置の下方に設定された第３の位置との間で昇降移動可能なリフト部材を有し、前記リフト部材を前記第３の位置から前記第１の位置まで上昇させて前記基板を前記所定角度傾斜した姿勢のまま前記搬送路から前記リフト部材の上に移し変え、前記第１の位置から前記第２の位置まで上昇させる間に前記リフト部材上で前記基板の姿勢を前記傾斜姿勢から水平姿勢に変換する基板姿勢変換部とを有する。
【００１２】
本発明のアンローダ装置は、被処理基板を所定角度傾斜させて載置するための開口部を有する載置部と、前記載置部に設定された第１の位置と、前記載置部の真上に設定された第２の位置と、前記載置部の真下に設定された第３の位置との間で前記開口部を通って昇降移動可能なリフト部材を有し、前記リフトピンを前記第３の位置から前記第１の位置まで上昇させて前記基板を前記所定角度傾斜した姿勢のまま前記搬送路から前記リフト部材の上に移し変え、前記第１の位置から前記第２の位置まで上昇させる間に前記リフト部材上で前記基板の姿勢を前記傾斜姿勢から水平姿勢に変換する基板姿勢変換部とを有する。
【００１３】
上記構成の基板処理装置においては、搬送部が基板を搬送路上で傾斜させて搬送し、処理部が傾斜姿勢の基板に所望の処理を施すので、搬送中に被処理基板上の不要な液を速やかに流し落とすようにして処理効率や処理品質を向上させることができる。また、上記構成の基板処理装置およびアンローダ装置においては、搬送路上の第１の位置に基板が傾斜状態で移送された後に、基板姿勢変換機構が、リフト部材を搬送路の下の第３の位置から第１の位置を経由して第２の位置まで上昇させ、途中の第１の位置で基板を傾斜姿勢のまま搬送路からリフト部材の上に移し変え、第１の位置から第２の位置まで上昇させる間にリフト部材上で基板の姿勢を傾斜姿勢から水平姿勢に変換する。このようなアンローディング方式によれば、基板に応力を掛けずに（撓ませずに）傾斜搬送路からリフト部材に取り出すことができ、基板を安全に搬出ないし姿勢変換することができる。
【００１４】
本発明の好適な一態様によれば、基板姿勢変換部が、リフト部材を第２の位置と第３の位置との間で連続的に移動させる。この場合、リフト部材は途中で下降または旋回運動を停止させることなく第１の位置を通過する際に基板をリフト部材から搬送路へ、あるいは搬送路からリフト部材へ速やかに移載することができる。
【００１５】
また、別の好適な一態様によれば、搬送部が、搬送路上に所定のピッチで棒状のコロを敷設し、各々のコロを搬送方向と直交する水平線に対して所定角度傾斜させて回転可能に配置する。かかる構成においては、基板姿勢変換部のリフト部材は相隣接するコロの間の隙間を通って第２の位置と第３の位置との間を行き来することができる。このようなコロ搬送式の場合は、コロを両端部および中心部をそれぞれ軸受で支持し、搬送部がコロを回転駆動するのが好ましい。
【００１６】
また、本発明の好適な一態様によれば、基板姿勢変換部のリフト部材が、搬送方向に所望の間隔を置いて配置され、相隣接するコロの間をコロとほぼ平行に通り抜けできる複数の棒状または板状の支持部材と、各々の支持部材に所望の間隔を置いて立設された複数本のリフトピンとを有する。
【００１７】
このような梃型のリフト部材においては、第２の位置と第３の位置との間で昇降する際に旋回運動を行うことができる。好適な一態様として、基板姿勢変換部が、リフト部材の所定箇所に設けられた回転軸を中心として支持部材を鉛直面内で回転可能に支持する回転支持部と、リフト部材を水平姿勢と上記所定角度の傾斜姿勢との間で回転移動させるための回転駆動部と、リフト部材と回転支持部と回転駆動部とを支持するベース部と、このベース部を昇降移動させるための昇降駆動部とを有する。この場合、リフト部材の回転軸は任意の部位に設けられてよいが、好ましくはリフト部材の一端部に設けられてよい。また、回転駆動部は、リフト部材の中間部ないし他端端に結合されたアクチエータたとえばエアシリンダで構成されてよい。昇降駆動部も、たとえばエアシリンダで構成してよい。
【００１８】
また、好適な一態様によれば、基板姿勢変換部が、傾斜姿勢の際に下端側となる基板の一側面を支持する基板サイド支持部を有する。この基板サイド支持部は、好ましくは、搬送方向と平行な水平の回転軸を中心として自転可能なローラを有する。
【００１９】
また、本発明の好適な一態様によれば、第２の位置よりも僅かに低い第４の位置と、基板の昇降する領域の外側の第５の位置との間で移動し、第４の位置で基板を水平姿勢で支持する基板水平支持部が設けられる。この基板水平支持部は、基板姿勢変換部が基板を受け取りに第２の位置まで上昇して来るまで、基板を第４の位置で水平状態のまま保持することができる。
【００２０】
好適な一態様によれば、基板水平支持部が、基板昇降領域の外側に設けられた鉛直の回転軸を中心として第４の位置と第５の位置との間で旋回可能なアームと、このアームに取り付けられた１本または複数本の支持ピンと、該アームを旋回駆動するアーム駆動部とを有する。
【００２１】
本発明の基板処理装置の処理部は、典型的には、搬送路上の基板に処理液を供給するノズルを有するか、あるいは搬送路上の基板に乾燥用の気体を吹き付けるエアナイフを有する。
【発明の効果】
【００２２】
本発明の第１または第２の基板処理装置によれば、上記のような構成と作用により、搬送中に被処理基板上の不要な液を速やかに流し落とすようにして処理効率や処理品質を向上させることができる。
【００２３】
また、本発明の第１の基板処理装置またはローダ装置によれば、上記のような構成と作用により、傾斜型の載置部または搬送路上に被処理基板を無理なストレスをかけずに安全に載置することができる。
【００２４】
また、本発明の第２の基板処理装置またはアンローダ装置によれば、上記のような構成と作用により、傾斜型の載置部または搬送路から被処理基板を無理なストレスをかけずに安全に取り出すことができる。
【発明を実施するための最良の形態】
【００２５】
以下、添付図を参照して本発明の好適な実施の形態を説明する。
【００２６】
図１に、本発明の基板処理装置、ローダ装置およびアンローダ装置を適用できる一構成例としての塗布現像処理システムを示す。この塗布現像処理システム１０は、クリーンルーム内に設置され、たとえばＬＣＤ（液晶ディスプレイ）用のガラス基板を被処理基板とし、ＬＣＤ製造プロセスにおいてフォトリソグラフィー工程の中の洗浄、レジスト塗布、プリベーク、現像およびポストベーク等の一連の処理を行うものである。露光処理は、この処理システムに隣接して設置される外部の露光装置１２で行われる。
【００２７】
この塗布現像処理システム１０は、中心部に横長のプロセスステーション（Ｐ／Ｓ）１６を配置し、その長手方向（Ｘ方向）両端部にカセットステーション（Ｃ／Ｓ）１４とインタフェースステーション（Ｉ／Ｆ）１８とを配置している。
【００２８】
カセットステーション（Ｃ／Ｓ）１４は、システム１０のカセット搬入出ポートであり、角型のガラス基板Ｇを多段に積み重ねるようにして複数枚収容可能なカセットＣを水平方向たとえばＹ方向に４個まで並べて載置可能なカセットステージ２０と、このステージ２０上のカセットＣに対して基板Ｇの出し入れを行う搬送機構２２とを備えている。搬送機構２２は、基板Ｇを保持できる手段たとえば搬送アーム２２ａを有し、Ｘ，Ｙ，Ｚ，θの４軸で動作可能であり、隣接するプロセスステーション（Ｐ／Ｓ）１６側と基板Ｇの受け渡しを行えるようになっている。
【００２９】
プロセスステーション（Ｐ／Ｓ）１６は、システム長手方向（Ｘ方向）に延在する平行かつ逆向きの一対のラインＡ，Ｂに各処理部をプロセスフローまたは工程の順に配置している。より詳細には、カセットステーション（Ｃ／Ｓ）１４側からインタフェースステーション（Ｉ／Ｆ）１８側へ向う上流部のプロセスラインＡには、洗浄プロセス部２４と、第１の熱的処理部２６と、塗布プロセス部２８と、第２の熱的処理部３０とを横一列に配置している。一方、インタフェースステーション（Ｉ／Ｆ）１８側からカセットステーション（Ｃ／Ｓ）１４側へ向う下流部のプロセスラインＢには、第２の熱的処理部３０と、現像プロセス部３２と、脱色プロセス部３４と、第３の熱的処理部３６とを横一列に配置している。このライン形態では、第２の熱的処理部３０が、上流側のプロセスラインＡの最後尾に位置するとともに下流側のプロセスラインＢの先頭に位置しており、両ラインＡ，Ｂ間に跨っている。
【００３０】
両プロセスラインＡ，Ｂの間には補助搬送空間３５が設けられており、基板Ｇを１枚単位で水平に載置可能なシャトル３８が図示しない駆動機構によってライン方向（Ｘ方向）で双方向に移動できるようになっている。
【００３１】
上流部のプロセスラインＡにおいて、洗浄プロセス部２４は、平流し方式の基板洗浄装置であり、ラインＡに沿って搬入ユニット（ＩＮ）４０、エキシマＵＶ照射ユニット（ｅ−ＵＶ）４１およびスクラバ洗浄ユニット（ＳＣＲ）４２を一列に配置している。エキシマＵＶ照射ユニット（ｅ−ＵＶ）４１およびスクラバ洗浄ユニット（ＳＣＲ）４２は、基板Ｇを平流しでラインＡの方向に搬送しながら基板Ｇに乾式洗浄およびスクラビング洗浄をそれぞれ施すようになっている。
【００３２】
洗浄プロセス部２４の下流側に隣接する第１の熱的処理部２６は、プロセスラインＡに沿って中心部に縦型の搬送機構４６を設け、その前後両側に複数の枚葉式オーブンユニットを基板受け渡し用のパスユニットと一緒に多段に積層配置してなる多段ユニット部またはオーブンタワー（ＴＢ）４４，４８を設けている。
【００３３】
たとえば、図２に示すように、上流側のオーブンタワー（ＴＢ）４４には、基板搬入用のパスユニット（ＰＡＳＳL）５０、脱水ベーク用の加熱ユニット（ＤＨＰ）５２，５４およびアドヒージョンユニット（ＡＤ）５６が下から順に積み重ねられる。ここで、パスユニット（ＰＡＳＳL）５０は、スクラバ洗浄ユニット（ＳＣＲ）４２からの洗浄処理の済んだ基板Ｇを第１の熱的処理部２６内に搬入するためのスペースを提供する。下流側のオーブンタワー（ＴＢ）４８には、基板搬出用のパスユニット（ＰＡＳＳR）６０、基板温度調整用の冷却ユニット（ＣＬ）６２，６４およびアドヒージョンユニット（ＡＤ）６６が下から順に積み重ねられる。ここで、パスユニット（ＰＡＳＳR）６０は、第１の熱的処理部２６で所要の熱処理の済んだ基板Ｇを下流側の塗布プロセス部２８へ搬出するためのスペースを提供する。
【００３４】
図２において、搬送機構４６は、鉛直方向に延在するガイドレール６８に沿って昇降移動可能な昇降搬送体７０と、この昇降搬送体７０上でθ方向に回転または旋回可能な旋回搬送体７２と、この旋回搬送体７２上で基板Ｇを支持しながら前後方向に進退または伸縮可能な搬送アームまたはピンセット７４とを有している。昇降搬送体７０を昇降駆動するための駆動部７６が垂直ガイドレール６８の基端側に設けられ、旋回搬送体７２を旋回駆動するための駆動部７８が昇降搬送体７０に取り付けられ、搬送アーム７４を進退駆動するための駆動部８０が回転搬送体７２に取り付けられている。各駆動部７６，７８，８０はたとえば電気モータ等で構成されてよい。
【００３５】
上記のように構成された搬送機構４６は、高速に昇降ないし旋回運動して両隣のオーブンタワー（ＴＢ）４４，４８の中の任意のユニットにアクセス可能であり、補助搬送空間３８側のシャトル４０とも基板Ｇを受け渡しできるようになっている。
【００３６】
第１の熱的処理部２６の下流側に隣接する塗布プロセス部２８は、図１に示すように、レジスト塗布ユニット（ＣＴ）８２と減圧乾燥ユニット（ＶＤ）８４とをプロセスラインＡに沿って一列に配置している。塗布プロセス部２８内の構成は後に詳細に説明する。
【００３７】
塗布プロセス部２８の下流側に隣接する第２の熱的処理部３０は、上記第１の熱的処理部２６と同様の構成を有しており、両プロセスラインＡ，Ｂの間に縦型の搬送機構９０を設け、プロセスラインＡ側（最後尾）に一方のオーブンタワー（ＴＢ）８８を設け、プロセスラインＢ側（先頭）に他方のオーブンタワー（ＴＢ）９２を設けている。
【００３８】
図示省略するが、たとえば、プロセスラインＡ側のオーブンタワー（ＴＢ）８８には、最下段に基板搬入用のパスユニット（ＰＡＳＳL）が配置され、その上にプリベーク用の加熱ユニット（ＰＲＥＢＡＫＥ）がたとえば３段積みに重ねられてよい。また、プロセスラインＢ側のオーブンタワー（ＴＢ）９２には、最下段に基板搬出用のパスユニット（ＰＡＳＳR）が配置され、その上に基板温度調整用の冷却ユニット（ＣＯＬ）がたとえば１段重ねられ、その上にプリベーク用の加熱ユニット（ＰＲＥＢＡＫＥ）がたとえば２段積みに重ねられてよい。
【００３９】
第２の熱的処理部３０における搬送機構９０は、両オーブンタワー（ＴＢ）８８，９２のそれぞれのパスユニット（ＰＡＳＳL），（ＰＡＳＳR）を介して塗布プロセス部２８および現像プロセス部３２と基板Ｇを１枚単位で受け渡しできるだけでなく、補助搬送空間３８内のシャトル４０や後述するインタフェースステーション（Ｉ／Ｆ）１８とも基板Ｇを１枚単位で受け渡しできるようになっている。
【００４０】
下流部のプロセスラインＢにおいて、現像プロセス部３２は、基板Ｇを水平姿勢で搬送しながら一連の現像処理工程を行う、いわゆる平流し方式の現像ユニット（ＤＥＶ）９４を含んでいる。
【００４１】
現像プロセス部３２の下流側には脱色プロセス部３４を挟んで第３の熱的処理部３６が配置される。脱色プロセス部３４は、基板Ｇの被処理面にｉ線（波長３６５ｎｍ）を照射して脱色処理を行うためのｉ線ＵＶ照射ユニット（ｉ−ＵＶ）９６を備えている。
【００４２】
第３の熱的処理部３６は、上記第１の熱的処理部２６や第２の熱的処理部３０と同様の構成を有しており、プロセスラインＢに沿って縦型の搬送機構１００とその前後両側に一対のオーブンタワー（ＴＢ）９８，１０２を設けている。
【００４３】
図示省略するが、たとえば、上流側のオーブンタワー（ＴＢ）９８には、最下段に基板搬入用のパスユニット（ＰＡＳＳL）が置かれ、その上にポストベーキング用の加熱ユニット（ＰＯＢＡＫＥ）がたとえば３段積みに重ねられてよい。また、下流側のオーブンタワー（ＴＢ）１０２には、最下段にポストベーキング・ユニット（ＰＯＢＡＫＥ）が置かれ、その上に基板搬出および冷却用のパス・クーリングユニット（ＰＡＳＳR・ＣＯＬ）が１段重ねられ、その上にポストベーキング用の加熱ユニット（ＰＯＢＡＫＥ）が２段積みに重ねられてよい。
【００４４】
第３の熱的処理部３６における搬送機構１００は、両多段ユニット部（ＴＢ）９８，１０２のパスユニット（ＰＡＳＳL）およびパス・クーリングユニット（ＰＡＳＳR・ＣＯＬ）を介してそれぞれｉ線ＵＶ照射ユニット（ｉ−ＵＶ）９６およびカセットステーション（Ｃ／Ｓ）１４と基板Ｇを１枚単位で受け渡しできるだけでなく、補助搬送空間３８内のシャトル４０とも基板Ｇを１枚単位で受け渡しできるようになっている。
【００４５】
インタフェースステーション（Ｉ／Ｆ）１８は、隣接する露光装置１２と基板Ｇのやりとりを行うための搬送装置１０４を有し、その周囲にバッファ・ステージ（ＢＵＦ）１０６、エクステンション・クーリングステージ（ＥＸＴ・ＣＯＬ）１０８および周辺装置１１０を配置している。バッファ・ステージ（ＢＵＦ）１０６には定置型のバッファカセット（図示せず）が置かれる。エクステンション・クーリングステージ（ＥＸＴ・ＣＯＬ）１０８は、冷却機能を備えた基板受け渡し用のステージであり、プロセスステーション（Ｐ／Ｓ）１６側と基板Ｇをやりとりする際に用いられる。周辺装置１１０は、たとえばタイトラー（ＴＩＴＬＥＲ）と周辺露光装置（ＥＥ）とを上下に積み重ねた構成であってよい。搬送装置１０４は、基板Ｇを保持できる手段たとえば搬送アーム１０４ａを有し、隣接する露光装置１２や各ユニット（ＢＵＦ）１０６、（ＥＸＴ・ＣＯＬ）１０８、（ＴＩＴＬＥＲ／ＥＥ）１１０と基板Ｇの受け渡しを行えるようになっている。
【００４６】
図３に、この塗布現像処理システムにおける処理の手順を示す。先ず、カセットステーション（Ｃ／Ｓ）１４において、搬送機構２２が、ステージ２０上のいずれかのカセットＣの中から１つの基板Ｇを取り出し、プロセスステーション（Ｐ／Ｓ）１６の洗浄プロセス部２４に搬入する（ステップＳ1）。
【００４７】
洗浄プロセス部２４において、基板Ｇはコロ搬送により搬入部（ＩＮ）４０から搬出部（ＯＵＴ）４３までプロセスラインＡ方向に平流しで搬送され、途中のエキシマＵＶ照射ユニット（ｅ−ＵＶ）４１およびスクラバ洗浄ユニット（ＳＣＲ）４２で洗浄処理を施される。すなわち、エキシマＵＶ照射ユニット（ｅ−ＵＶ）４１では、基板Ｇの上面（被処理面）に紫外線が照射され、紫外線オゾン洗浄で有機物が除去される（ステップＳ2）。また、スクラバ洗浄ユニット（ＳＣＲ）４２では、基板Ｇの表面がロールブラシで擦られ、スクラビング洗浄によって基板表面の異物が取り除かれる（ステップＳ3）。そして、スクラビング洗浄の後に基板Ｇはリンス液で洗浄され、最後にエアーナイフ等によって液切り（乾燥）が行われる。
【００４８】
スクラバ洗浄ユニット（ＳＣＲ）４２内で洗浄処理の済んだ基板Ｇは、第１の熱的処理部２６の上流側オーブンタワー（ＴＢ）４４内のパスユニット（ＰＡＳＳL）５０に平流しで搬入される。
【００４９】
第１の熱的処理部２６において、基板Ｇは搬送機構４６により所定のシーケンスで所定のオーブンユニットに順次移送される。たとえば、基板Ｇは、最初にパスユニット（ＰＡＳＳL）５０から加熱ユニット（ＤＨＰ）５２，５４の１つに移され、そこで脱水処理を受ける（ステップＳ4）。次に、基板Ｇは、冷却ユニット（ＣＯＬ）６２，６４の１つに移され、そこで一定の基板温度まで冷却される（ステップＳ5）。しかる後、基板Ｇはアドヒージョンユニット（ＡＤ）５６に移され、そこで疎水化処理を受ける（ステップＳ6）。この疎水化処理の終了後に、基板Ｇは冷却ユニット（ＣＯＬ）６２，６４の１つで一定の基板温度まで冷却される（ステップＳ7）。最後に、基板Ｇは下流側オーブンタワー（ＴＢ）４８内のパスユニット（ＰＡＳＳR）６０に移される。
【００５０】
このように、第１の熱的処理部２６内では、基板Ｇが、搬送機構４６を介して上流側の多段オーブンタワー（ＴＢ）４４と下流側のオーブンタワー（ＴＢ）４８との間で任意に行き来できるようになっている。なお、第２および第３の熱的処理部３０，３６でも同様の基板搬送動作が行なわれる。
【００５１】
第１の熱的処理部２６で上記のような一連の熱的または熱系の処理を受けた基板Ｇは、下流側オーブンタワー（ＴＢ）４８内のパスユニット（ＰＡＳＳR）６０から塗布プロセス部２８のレジスト塗布ユニット（ＣＴ）８２へ移される。
【００５２】
レジスト塗布ユニット（ＣＴ）８２において、基板Ｇは、後述するように長尺型のレジストノズルを用いるスピンレス法により基板上面（被処理面）にレジスト液を塗布される。次いで、基板Ｇは、下流側隣の減圧乾燥ユニット（ＶＤ）８４で減圧による乾燥処理を受ける（ステップＳ8）。
【００５３】
上記のようなレジスト塗布処理を受けた基板Ｇは、減圧乾燥ユニット（ＶＤ）８４から隣の第２の熱的処理部３０の上流側オーブンタワー（ＴＢ）８８内のパスユニット（ＰＡＳＳL）に搬入される。
【００５４】
第２の熱的処理部３０内で、基板Ｇは、搬送機構９０により所定のシーケンスで所定のユニットに順次移送される。たとえば、基板Ｇは、最初にパスユニット（ＰＡＳＳL）から加熱ユニット（ＰＲＥＢＡＫＥ）の１つに移され、そこでプリベーキングの加熱処理を受ける（ステップＳ9）。次に、基板Ｇは、冷却ユニット（ＣＯＬ）の１つに移され、そこで一定の基板温度まで冷却される（ステップＳ10）。しかる後、基板Ｇは下流側オーブンタワー（ＴＢ）９２側のパスユニット（ＰＡＳＳR）を経由して、あるいは経由せずにインタフェースステーション（Ｉ／Ｆ）１８側のエクステンション・クーリングステージ（ＥＸＴ・ＣＯＬ）１０８へ受け渡される。
【００５５】
インタフェースステーション（Ｉ／Ｆ）１８において、基板Ｇは、エクステンション・クーリングステージ（ＥＸＴ・ＣＯＬ）１０８から周辺装置１１０の周辺露光装置（ＥＥ）に搬入され、そこで基板Ｇの周辺部に付着するレジストを現像時に除去するための露光を受けた後に、隣の露光装置１２へ送られる（ステップＳ11）。
【００５６】
露光装置１２では基板Ｇ上のレジストに所定の回路パターンが露光される。そして、パターン露光を終えた基板Ｇは、露光装置１２からインタフェースステーション（Ｉ／Ｆ）１８に戻されると（ステップＳ11）、先ず周辺装置１１０のタイトラー（ＴＩＴＬＥＲ）に搬入され、そこで基板上の所定の部位に所定の情報が記される（ステップＳ12）。しかる後、基板Ｇはエクステンション・クーリングステージ（ＥＸＴ・ＣＯＬ）１０８に戻される。インタフェースステーション（Ｉ／Ｆ）１８における基板Ｇの搬送および露光装置１２との基板Ｇのやりとりは搬送装置１０４によって行われる。
【００５７】
プロセスステーション（Ｐ／Ｓ）１６では、第２の熱的処理部３０において搬送機構９０がエクステンション・クーリングステージ（ＥＸＴ・ＣＯＬ）１０８より露光済の基板Ｇを受け取り、プロセスラインＢ側のオーブンタワー（ＴＢ）９２内のパスユニット（ＰＡＳＳR）を介して現像プロセス部３２へ受け渡す。
【００５８】
現像プロセス部３２では、該オーブンタワー（ＴＢ）９２内のパスユニット（ＰＡＳＳR）から受け取った基板Ｇを現像ユニット（ＤＥＶ）９４に搬入する。現像ユニット（ＤＥＶ）９４において基板ＧはプロセスラインＢの下流に向って平流し方式で搬送され、その搬送中に現像、リンス、乾燥の一連の現像処理工程が行われる（ステップＳ13）。
【００５９】
現像プロセス部３２で現像処理を受けた基板Ｇはそのまま平流しで下流側隣の脱色プロセス部３４へ搬入され、そこでｉ線照射による脱色処理を受ける（ステップＳ14）。脱色処理の済んだ基板Ｇは、第３の熱的処理部３６の上流側オーブンタワー（ＴＢ）９８内のパスユニット（ＰＡＳＳL）に搬入される。
【００６０】
第３の熱的処理部３６において、基板Ｇは、最初に該パスユニット（ＰＡＳＳL）から加熱ユニット（ＰＯＢＡＫＥ）の１つに移され、そこでポストベーキングの加熱処理を受ける（ステップＳ15）。次に、基板Ｇは、下流側オーブンタワー（ＴＢ）１０２内のパスクーリング・ユニット（ＰＡＳＳR・ＣＯＬ）に移され、そこで所定の基板温度に冷却される（ステップＳ16）。第３の熱的処理部３６における基板Ｇの搬送は搬送機構１００によって行われる。
【００６１】
カセットステーション（Ｃ／Ｓ）１４側では、搬送機構２２が、第３の熱的処理部３６のパスクーリング・ユニット（ＰＡＳＳR・ＣＯＬ）から塗布現像処理の全工程を終えた基板Ｇを受け取り、受け取った基板Ｇをステージ２０上のいずれかのカセットＣに収容する（ステップＳ1）。
【００６２】
この塗布現像処理システム１０においては、たとえば洗浄プロセス部２４に本発明を適用することができる。以下、図４〜図２１を参照して本発明を洗浄プロセス部２４に適用した実施形態を説明する。
【００６３】
図４に本発明の一実施形態による洗浄プロセス部２４の全体構成を示し、図５に搬送路上の主要な処理部の構成を示す。この洗浄プロセス部２４は、棒状のコロ１１２を水平なＹ方向に対して所定の角度φだけ傾斜させてＸ方向（プロセスラインＡの方向）に所定のピッチで敷設してなる傾斜型の搬送路１１４を有し、この搬送路１１４に沿って隔壁１１６を介して６つのプロックまたはモジュールＭ1〜Ｍ6を一列に配置している。隔壁１１６には、搬送路１１４を通すためのスリット１１８が形成されている。
【００６４】
これら６つのモジュールＭ1〜Ｍ6のうち、搬送路１１４の最上流端に位置する１番目のモジュールＭ1は搬入ユニット（ＩＮ）４０を構成し、２番目のモジュールＭ2はエキシマＵＶ照射ユニット（ｅ−ＵＶ）４１を構成し、残りの４つのモジュールＭ3，M4，Ｍ5，M6はスクラバ洗浄ユニット（ＳＣＲ）４２を構成する。
【００６５】
搬入ユニット（ＩＮ）４０は、カセットステーション（Ｃ／Ｓ）１４の搬送機構２２から基板Ｇを水平状態で受け取り、基板Ｇの姿勢を水平姿勢から傾斜姿勢に変換したうえで、基板Ｇを傾斜搬送路１１４上に載置またはローディングするようになっており、後述する基板姿勢変換機構１２０等を備えている。
【００６６】
エキシマＵＶ照射ユニット（ｅ−ＵＶ）４１は、搬送路１１４の上方に紫外線ランプ１２２を収容してなるランプ室１２４を設けている。図５Ａに示すように、ランプ室１２４も水平線（Ｙ方向）に対して所定の角度φだけ傾斜してコロ１１２ないし搬送路１１４と平行に対向している。紫外線ランプ１２２は、たとえば誘電体バリア放電ランプからなり、有機汚染の洗浄に好適な波長１７２ｎｍの紫外線（紫外エキシマ光）を直下の搬送路１１４上の基板Ｇに石英ガラス窓１２６を通して照射するようになっている。紫外線ランプ１２２の背後または上には横断面円弧状の凹面反射鏡１２３が設けられている。
【００６７】
スクラバ洗浄ユニット（ＳＣＲ）４２において、モジュールＭ3はスクラビング洗浄室を構成し、室内には搬送路１１４に沿って薬液供給ノズル１２８、ロールブラシ１３０、洗浄スプレー管１３２等が配置されている。モジュールＭ4はリンス室を構成し、室内には搬送路１１４の上方にリンスノズル１３４が配置されている。モジュールＭ5は乾燥室を構成し、室内には搬送路１１４の上方にエアナイフ１３６が配置されている。図５Ｂおよび図５Ｃに示すように、ロールブラシ１３０およびリンスノズル１３４も水平線（Ｙ方向）に対して所定の角度φだけ傾斜してコロ１１２ないし搬送路１１４と平行に対向している。図示しないが、薬液供給ノズル１２８、洗浄スプレー管１３２、エアナイフ１３６等もリンスノズル１３４と同様に長尺状に形成され、水平線（Ｙ方向）に対して所定の角度θだけ傾斜している。なお、処理室Ｍ3，Ｍ4，Ｍ5の下部には、搬送路１１４の下に落ちた液を受け集めるためのパン１３８，１４０，１４２がそれぞれ設けられている。各パンの底に設けられた排液口には回収系統または排液系統の配管が接続されている。
【００６８】
最後尾のモジュールＭ6は、傾斜型の搬送路１１４を水平型の搬送路１４４に切り替える搬送路切替部を構成する。室内には基板Ｇを傾斜姿勢から水平姿勢に変換するための後述する基板姿勢変換機構１４６が設けられている。水平搬送路１４４は、水平のコロ１４８をＸ方向に所定のピッチで敷設してなり、下流側隣のユニット、つまり第１の熱的処理部２６の上流側オーブンタワー（ＴＢ）４４内のパスユニット５０（図２）に引き込まれている。
【００６９】
ここで、この洗浄プロセス部２４における全体の動作および作用を説明する。        搬入ユニット（ＩＮ）４０には、隣の搬送機構２２から基板Ｇが傾斜搬送路１１４の真上に設定された所定の搬入位置に水平状態で搬入される。基板姿勢変換機構１２０は、該搬入位置から基板Ｇを下方に下ろしながら基板Ｇの姿勢を水平姿勢から傾斜姿勢に変換し、傾斜姿勢で基板Ｇを搬送路１１４に設定されたローディング位置に載置する。
【００７０】
搬送路１１４を構成するコロ１１２は、回転駆動シャフトやギア等の伝動機構を介して電気モータの駆動力により基板Ｇを前進させる向きに回転する。こうして搬送路１１４に載った基板Ｇは直ちに隣のエキシマＵＶ照射ユニット（ｅ−ＵＶ）４１へ向けて搬送される。通常、ＬＣＤ用の基板Ｇは長方形に形成されており、その長手方向が搬送方向と平行になる向きで搬送路１１４上を搬送される。
【００７１】
エキシマＵＶ照射ユニット（ｅ−ＵＶ）４１では、図５Ａに示すように、ランプ室１２４内の紫外線ランプ１２２より発せられた紫外線が石英ガラス窓１２６を透過して搬送路１１４上の基板Ｇに照射される。この紫外線により基板表面付近の酸素が励起されてオゾンが生成され、このオゾンによって基板表面の有機物が酸化・気化して除去される。エキシマＵＶ照射ユニット（ｅ−ＵＶ）４１を抜けると、次に基板Ｇはスクラバ洗浄ユニット（ＳＣＲ）４２のスクラビング洗浄室Ｍ3に搬入される。
【００７２】
スクラビング洗浄室Ｍ3内で、基板Ｇは最初に薬液ノズル１２８よりたとえば酸またはアルカリ系の薬液を吹き掛けられる。次いで、基板Ｇはロールブラシ１３０の下を擦りながら通り抜ける。ロールブラシ１３０は、図示しないブラシ駆動部の回転駆動力で搬送方向と対抗する向きに回転し、基板表面の異物（塵埃、破片、汚染物等）を擦り取る。その直後に、洗浄スプレー管１３２が基板Ｇに洗浄液たとえば純水を吹き掛け、基板上に浮遊している異物を洗い流す。基板Ｇは搬送路１１４上で傾斜姿勢をとっているため、基板表面から擦り取られた異物は薬液や洗浄液と一緒に重力で基板Ｇ上を低い方へと移動し、基板Ｇの下端側の縁から下方のパン１３８に落下する。
【００７３】
スクラビング洗浄室Ｍ3の次に基板Ｇはリンス処理室Ｍ4を通過する。リンス処理室Ｍ4では、リンスノズル１３４が搬送路１１４上の基板Ｇにリンス液たとえば純水を供給する。これによって、スクラビング洗浄室Ｍ3から持ち込まれた基板Ｇ上の液（異物が浮遊している液）がリンス液に置換される。この場面でも、基板Ｇは傾斜姿勢になっているため、基板Ｇ上の液は重力で低い方へと流れ、基板Ｇの下端側の縁から下方のパン１４０に落下する。
【００７４】
リンス処理室Ｍ4の次に基板Ｇは乾燥処理室Ｍ5に送られる。乾燥処理室Ｍ5では、搬送路１１４上を傾斜姿勢で搬送される基板Ｇに対して、エアナイフ１３６がナイフ状の鋭利な気体流たとえばエアを当てる。これにより、基板Ｇに付いていた液はエアの風力で払い落とされ、下方のパン１４２に落下する。
【００７５】
乾燥処理室Ｍ5で液切りされた基板Ｇはそのまま搬送路１１４に乗って搬送路切替部Ｍ6に送られる。搬送路切替部Ｍ6では、基板姿勢変換機構１４６により基板Ｇの姿勢がそれまでの傾斜姿勢から水平姿勢に変換されるのと同時に基板Ｇが傾斜搬送路１１４から水平搬送路１４４に乗り移る。水平搬送路１４４を構成するコロ１４８は、傾斜搬送路１１４の搬送駆動系から独立した搬送駆動部の駆動力で基板Ｇを前進させる向きに回転する。こうして、水平搬送路１４４に乗り移った基板Ｇは下流側隣のユニット、つまり第１の熱的処理部２６の上流側オーブンタワー（ＴＢ）４４内のパスユニット５０（図２）に向けて搬送される。
【００７６】
上記のように、この実施形態の洗浄プロセス部２４は、一定角度φに傾斜したコロ１１２を一定ピッチで並べて傾斜搬送路１１４を構成し、この傾斜搬送路１１４上を移動する傾斜姿勢の基板Ｇに対して紫外線オゾン洗浄、スクラビング洗浄、リンス処理、乾燥処理を順次施すようにしている。スクラビング洗浄やリンス処理では、傾斜姿勢の基板Ｇ上から異物や液が重力によって速やかに流し落とされるため、処理時間の短縮が図れるだけでなく、パーティクルの再付着を防止し、洗浄液やリンス液の使用量を大幅に節約することができる。また、リンス処理後に基板上に残る液膜が薄くなるので、乾燥処理で使用するエアー用力も大幅に節減できる。
【００７７】
また、この洗浄プロセス部２４では、搬入ユニット（ＩＮ）４０において、隣の搬送機構２２から水平状態で搬入された基板Ｇが無理なストレスを受けることなく安全に傾斜搬送路１１４にローディングされるようになっている。以下、  図６〜図１４を参照して搬入ユニット（ＩＮ）４０の構成および作用を詳細に説明する。
【００７８】
図６および図７は、搬入ユニット（ＩＮ）４０内の要部の構成を示す平面図および側面図である。搬入ユニット（ＩＮ）４０内には、床に固定されたフレーム１５０が縦横に組まれており、このフレーム１５０に傾斜搬送路１１４のコロ１１２、基板姿勢変換機構１２０、搬送駆動部１５２およびインバッファ１５４等が取り付けられている。
【００７９】
より詳細には、コロ１１２の両端は、フレーム１５０に固定された左右一対の軸受１５６に所定角度（φ）傾いた姿勢で回転可能に支持されている。さらに、コロ１１２の中心部もフレーム１５０に固定された軸受１５８に回転可能に支持されている。コロ１１２は、一定の太さ（径）を有する剛体のシャフトからなり、シャフトの両端部に基板Ｇの両側端（長辺縁部）を支持する円筒形のローラ部１１２ａを取り付け、シャフト中間部に基板Ｇの中間部を支持する複数の円筒形ローラ部１１２ｂを取り付けている。両端のローラ部１１２ａ、特に下端のローラ部１１２ａには基板Ｇの下端側の側面を受ける鍔状の太径部が一体に形成されている。
【００８０】
搬送駆動部１５２は、フレーム１５０に固定された電気モータ１６０と、この電気モータ１６０の回転駆動力を各コロ１１２に伝えるための伝動機構とを有する。この伝動機構は、電気モータ１６０の回転軸に無端ベルト１６４を介して接続された搬送方向（Ｘ方向）に延びる回転駆動シャフト１６６と、この回転駆動シャフト１６６と各コロ１１２とを作動結合する交差軸型のギア１６８とで構成されている。
【００８１】
基板姿勢変換機構１２０は、フレーム１５０に上向きに固定された複数本のエアシリンダ１７０と、これらのエアシリンダ１７０のピストンロッドに結合された板状のリフトベース１７２と、このリフトベース１７２に搬送方向（Ｘ方向）に所定の間隔を置いて取り付けられた複数の回動または旋回型のリフタ１７４とを有している。
【００８２】
各々のリフタ１７４は、Ｙ方向に延びる棒状または板状の梃部１７６と、この梃部１７６に長手方向に適当な間隔を置いて上向きに取り付けられた複数本のリフトピン１７８と、梃部１７６を鉛直面内で回転可能に支持するためのヒンジ部１８０と、梃部１７６を回動または旋回駆動するためのエアシリンダ１８６とを有している。ここで、ヒンジ部１８０は、コロ１１２の上端部側でリフトベース１７２より鉛直上方に延びる支持棒１７５の上端に取り付けられ、梃部１７６の一端部に結合されている。一方、エアシリンダ１８６は、コロ１１２の下端部側でリフトベース１７２より鉛直下方に延びる支持棒または支持板１７７の下端部と梃部１７６の中間部ないし他端部との間にヒンジ部１８２，１８４を介して上向きに取り付けられている。なお、エアシリンダ１８６は、シリノイド（商品名）等のリニアアクチエータで代用することも可能である。
【００８３】
各々のリフタ１７４には、基板Ｇを傾斜姿勢で支持する際にその下端側の側面を受けるための基板サイド支持部１８３も取り付けられている。この構成例における基板サイド支持部１８３は、梃部１７６の先端部にリフトピン１７８とほぼ同じ長さ（高さ）で取り付けられている支持棒１８５と、この支持棒１８５の先端にて搬送方向（Ｘ方向）と平行な水平の回転軸を中心として回転可能に取り付けられている円柱または円筒形のローラ１８７とで構成されている。
【００８４】
図７は、リフタ１７４が可動範囲内の最も低い位置つまり原位置または復動位置に退避している状態を示している。この状態では、リフトベース昇降用のエアシリンダ１７０のピストンロッドが後退し、梃旋回用のエアシリンダ１８６のピストンロッドも後退しており、梃部１７６はコロ１１２とほぼ平行な傾斜姿勢でコロ１１２の真下にいて、各リフトピン１７８の先端がコロ１１２（搬送路１１４）の下に潜っている。
【００８５】
インバッファ１５４は、上流側隣（図６において左隣）の搬送機構２２（図１）より搬送アーム２２ａに載って水平状態で搬入される基板Ｇを搬送路１１４の真上に設定された搬入位置で受け取り、受け取った基板Ｇを水平姿勢のまま一時的に、つまり基板姿勢変換機構１２０へ渡すまで支持する。図示の構成例におけるインバッファ１５４は、基板昇降領域の周囲に設置された鉛直方向に延びる複数本の回転軸１８８と、各々の回転軸１８８の下端部に結合された回転駆動部たとえばロータリシリンダ１９０と、各々の回転軸１８８の上端から水平方向に延びる水平支持アーム１９２と、各々の水平支持アーム１９２に取り付けられた鉛直上方に延びる複数本の支持ピン１９４とで構成されている。各水平支持アーム１９２は、フレーム１５０に固定された各ロータリシリンダ１９０の回転駆動によって基板昇降領域の外側の原位置または復動位置と内側の往動位置との間で回動または旋回移動するようになっている。図７は、インバッファ１５４の各水平支持アーム１９２が基板昇降領域内の往動位置で基板Ｇを水平に支持している状態を示している。
【００８６】
次に、図７〜図１４につき搬入ユニット（ＩＮ）４０の作用を説明する。カセットステーション（Ｃ／Ｓ）１４から新規の基板Ｇが搬入されるときは、搬入ユニット（ＩＮ）４０内でインバッファ１５４が予め水平支持アーム１９２を基板昇降領域内の往動位置で待機させておく。そこに、搬送機構２２が、上流側（図６において左側）から搬送アーム２２ａを挿入し、基板Ｇを水平状態でインバッファ１５４の支持ピン１９４の上に渡す。この時、基板姿勢変換機構１２０は、図７に示すように、リフタ１７４およびリフトベース１７２を原位置または復動位置に退避させている。
【００８７】
搬送機構２２の搬送アーム２２ａが基板Ｇをインバッファ１５４に渡して搬入ユニット（ＩＮ）４０から退出すると、その後に基板姿勢変換機構１２０がリフトベース１７２およびリフタ１７４を図７の原位置から図８および図９の各段階を経て図１０の往動位置まで上昇移動させる。上記のようにリフタ１７４は搬送方向（Ｘ方向）に所定の間隔を置いて複数設けられているので、全部のリフタ１７４を一斉に同じタイミングで運動させる。
【００８８】
詳細には、図８および図９に示すように、リフトベース昇降用のエアシリンダ１７０がピストンロッドを前進または伸長させることにより、リフトベース１７２が水平姿勢で上昇し、リフトベース１７２に取り付けられている各部（特にリフタ１７４）が一緒に上昇する。それと同時に、梃旋回用の各エアシリンダ１８６がピストンロッドを前進または伸長させることにより、各リフタ１７４において梃部１７６が最上部のヒンジ部１８０を中心として最下部の先端部つまり基板サイド支持部１８３側の端部を上昇させる方向に旋回運動する。各エアシリンダ１８６の両端のヒンジ部１８２，１８４は梃部１７６の旋回運動に追従して回転するようになっている。
【００８９】
こうして、梃部１７６が旋回しながら搬送路１１４のコロ１１２の間を上方に通り抜け、リフトピン１７８と基板サイド支持部１８３はインバッファ１５４の高さ位置に向かって上昇する。そして、往動位置に達すると、図１０に示すように、各リフタ１７４のリフトピン１７８がインバッファ１５４の支持ピン１９４を僅かに越える高さまで上昇して水平になり、基板Ｇを水平状態で支持ピン１９４から受け取る。この際、基板サイド支持部１８３のローラ１８７に基板Ｇの一側縁部が当接するときは、ローラ１８７が回転して基板Ｇをリフトピン１７８上に案内する。
【００９０】
上記のようにしてインバッファ１５４の支持ピン１９４からリフタ１７４のリフトピン１７８への基板Ｇの受け渡しが済むと、インバッファ１５４は各水平支持アーム１９２を旋回させて基板昇降領域の外へ退避させる。その直後に、基板姿勢変換機構１２０がリフトベース１７２およびリフタ１７４を図１０の原位置から図１１、図１２および図１３の各段階を経て図１４の復動位置まで移動させる。
【００９１】
詳細には、図１１および図１２に示すように、リフトベース用のエアシリンダ１７０がピストンロッドを後退または短縮させることにより、リフトベース１７２が水平姿勢で下降し、リフトベース１７２に取り付けられている各部（特にリフタ１７４）が一緒に下降する。それと同時に、梃旋回用の各エアシリンダ１８６がピストンロッドを後退または短縮させることにより、各リフタ１７４において梃部１７６がヒンジ部１８０を中心に基板サイド支持部１８３側の端部を下降させる方向に旋回運動する。この時も、各エアシリンダ１８６の両端のヒンジ部１８２，１８４が梃部１７６の旋回運動に追従して回転する。こうして、梃部１７６が旋回しながら搬送路１１４のコロ１１２の間を下方に通り抜け、リフトピン１７８や基板サイド支持部１８３はコロ１１２の両端支持部１１２ａおよび中間支持部１１２ｂの高さ位置に向かって下降する。この間、基板Ｇはリフトピン１７８上で水平姿勢から傾斜姿勢に変わり、基板Ｇの下端側の側面は基板サイド支持部１８３のローラ１８７によって支持され、かつ位置合わせされる。この位置合わせのために基板Ｇをリフトピン１７８上で滑りやすくしてもよく、たとえばピン先端部を滑りやすい材質で構成するか、あるいはピン先端に自由回転可能な球体を取り付ける構成としてもよい。
【００９２】
そして、図１３に示すように、下降の途中で、リフタ１７４の各リフトピン１７８の上端を通る面（リフタ１７４の基板支持面）がコロ１１２の各ローラ部１１２ａ，１１２ｂの上端を通る面（コロ１１２の基板支持面）とほぼ同一または面一の傾斜面となり、リフタ１７４のリフトピン１７８に支持されている基板Ｇは同時にコロ１１２のローラ部１１２ａ，１１２ｂにも支持されるようになる。そして、ここからリフタ１７４が更に下降することにより、リフタ１７４のリフトピン１７８や基板サイド支持部１８３は基板Ｇから離れ、代わってコロ１１２のローラ部１１２ａ，１１２ｂが基板Ｇを載せて支持するようになる。こうして、基板Ｇはコロ１１２と同じ角度傾斜した姿勢で搬送路１１４上の設定位置に載置またはローディングされる。なお、リフタ１７４は、コロ１１２に基板Ｇを渡す直前に旋回運動を停止または終了して、コロ１１２と平行な傾斜姿勢をとるのが好ましい。
【００９３】
ローディングの後に基板Ｇは搬送路１１４上をコロ搬送によって下流側の処理部へ送られる。なお、コロ搬送の駆動系を搬送路１１４に沿って複数に分割することも可能である。たとえば、この実施形態では、搬入ユニット（ＩＮ）４０に専用の駆動部１５２を設け、ユニット内のコロ１１２をローディング中は静止させておいてローディング完了後に起動（回転）させることも可能である。
【００９４】
上記のように、この実施形態の搬入ユニット（ＩＮ）４０では、傾斜搬送路１１４の上方でインバッファ１５４が搬送機構２２より搬入された基板Ｇを水平状態で受け取る。そして、基板姿勢変換機構１２０が、リフタ１７４を傾斜搬送路１１４の下からコロ１１２の間を通り抜けしてインバッファ１５４を越える高さ位置まで上昇させて基板Ｇを水平状態で引き取り、インバッファ１５４が退避した後にリフタ１７４を原位置まで下降させ、その下降の途中に旋回運動も行わせてリフタ１７４上で基板Ｇの姿勢を水平姿勢から傾斜搬送路１１４とほぼ同じ角度の傾斜姿勢に変換し、傾斜搬送路１１４（コロ１１２）の上に基板Ｇを傾斜姿勢で平行に載置するようにしている。このようなローディング方式によれば、リフタ１７４から傾斜搬送路１１４へ基板Ｇを移載する際に基板Ｇに応力を掛けずに（撓ませずに）済み、基板Ｇのデバイス形成面における回路素子や配線等を安全に保つことができる。
【００９５】
この実施形態では、図７および図１４に示すように、リフタ１７４を傾斜搬送路１１４（コロ１１２）と平行な傾斜姿勢で傾斜搬送路１１４の真下の原位置に退避させる。この構成においては、リフタ１７４の可動範囲ないし占有スペースを最小限にし、昇降駆動部や旋回駆動部の小型化および省力化を図ることができる。もっとも、リフタ１７４を任意の姿勢で原位置に待機させることも可能であり、任意の姿勢で、たとえば最初から水平姿勢でインバッファ１５４まで向かわせることも可能である。また、インバッファ１５４を省いて、搬送機構２２からリフタ１７４が基板Ｇを水平状態で直接受け取ることも可能である。
【００９６】
また、この実施形態では、傾斜搬送路１１４上で基板Ｇの下端側の側面をコロ１１２の鍔付きローラ部１１２ａで支持するようにしている。他の実施形態として、図１５に示すように、傾斜搬送路１１４の下端線に沿って一定の間隔で配置した円柱状のガイドローラ１９２によって基板Ｇの下端側面を支持ないし案内する構成も可能である。この場合、ガイドローラ１９２の外周面が基板Ｇの下端側面と平行に接触するように、ガイドローラ１９２の軸を鉛直線Ｎから傾斜搬送路１１４と等しい角度（φ）だけ傾斜させるのが好ましい。さらに、上記のようなローディング時に基板Ｇの案内（落とし込み）をスムースに行えるように、ガイドローラ１９２の上端部１９２ａをテーパに形状するのも好ましい。
【００９７】
次に、図１６〜図１９を参照して洗浄プロセス部２４の搬送路切替部Ｍ6の構成および作用を説明する。
【００９８】
図１６および図１７は、搬送路切替部Ｍ6内の要部の構成を示す平面図および側面図である。搬送路切替部Ｍ6内にも、固定フレーム１５０が縦横に組まれており、このフレーム１５０に傾斜搬送路１１４のコロ１１２、水平搬送路１４４のコロ１４８、基板姿勢変換機構１４６等が取り付けられている。
【００９９】
図１６に示すように、搬送路切替部Ｍ6内で傾斜搬送路１１４のコロ［１１２］と水平搬送路１４４のコロ１４８とが搬送方向（Ｘ方向）に沿ってハーフピッチで交互に配置されている。水平搬送路１４４のコロ１４８は、フレーム１５０に固定された左右一対の軸受２００と中心部の軸受２０１に水平な姿勢で回転可能に支持されている。水平コロ１４８は、一定の太さ（径）を有する剛体のシャフトからなり、シャフトの両端部に基板Ｇの両側端（長辺縁部）を支持する円筒形ローラ部１４８ａを取り付け、シャフト中間部に基板Ｇの中間部を支持する複数の円筒形ローラ部１４８ｂを取り付けている。両端のローラ部１４８ａには基板Ｇの両側面を支持する太径の鍔部が一体に形成されている。図１６に示すように、水平搬送路１４４のコロ１４８は下流側隣（右隣）のパスユニット（ＰＡＳＳL）５０にも延長して敷設されている。
【０１００】
水平搬送系の駆動部２０２は、搬送路１１４，１４４を挟んで傾斜搬送系の駆動部１５２と反対側に配置され、フレーム１５０に固定された電気モータ２０４と、この電気モータ２０４の回転駆動力を各水平コロ１４８に伝えるための伝動機構とを有する。この伝動機構、電気モータ２０４の回転軸に無端ベルト２０８を介して接続された搬送方向（Ｘ方向）に延びる回転駆動シャフト２１０と、この回転駆動シャフト２１０と各水平コロ１４８とを作動結合する交差軸型のギア２１２とで構成されている。
【０１０１】
搬送路切替部Ｍ6における傾斜搬送路１１４のコロ［１１２］は、他の区間における傾斜コロ１１２とは異なり、傾斜角度を一定範囲内で変えられる構成になっている。より詳細には、コロ［１１２］の一端の軸受１５６Ｒがフレーム１５０に固定される一方で、他端の軸受１５６Ｌがアーム状支持部材２１４およびヒンジ部２１６を介してエアシリンダ２１８のピストンロッドに結合されている。エアシリンダ２１８は、その下端部がヒンジ部２２０を介してフレーム１５０に上向きに取り付けられている。エアシリンダ２１８がピストンロッドを伸縮させると、コロ［１１２］が軸受１５６Ｒを支点として鉛直面内で回動ないし旋回するようになっている。ここで、軸受１５６Ｒはコロ［１１２］の旋回運動に合わせて首振りできるようになっている。また、搬送路切替部Ｍ6内のコロ［１１２］は、他の区間と同様に、軸受１５６Ｒより外側の延長部分で傾斜搬送系の交差軸型ギア１６８に接続されている。搬送路切替部Ｍ6における交差軸型ギア１６８は、非接触可能なマグネット型が好ましい。
【０１０２】
この実施形態では、コロ［１１２］を旋回運動させるコロ旋回機構（エアシリンダ２１８、ヒンジ部２１６，２２０、アーム状支持部材２１４）と傾斜搬送路１１４の可動式コロ１１２と水平搬送路１４４の固定（水平）コロ１４８とが協働して基板姿勢変換機構１４６を構成している。なお、図１６では、図解の便宜上、コロ旋回機構を省いている。
【０１０３】
次に、搬送路切替部Ｍ6における作用を説明する。上述したように、前段の乾燥処理室Ｍ5で液切りされた基板Ｇが傾斜搬送路１１４上をコロ搬送によって搬送路切替部Ｍ6まで送られてくる（図４）。搬送路切替部Ｍ6内では、図１７に示すように、傾斜搬送路１１４の［コロ１１２］を他の区間のコロ１１２と平行な傾斜姿勢に保ち、乾燥処理室Ｍ5からの基板Ｇを迎える。この時、コロ旋回機構では、エアシリンダ２１８がピストンロッドを伸長させて、コロ［１１２］の旋回端部（軸受１５６Ｌ側の端部）を旋回範囲内の最も高い位置に保持している。水平搬送路１４４のコロ１４８は全長に亘って傾斜搬送路１１４の［コロ１１２］よりも低い位置にある。
【０１０４】
基板Ｇが搬送路切替部Ｍ6内の全ての［コロ１１２］の上に載る位置に着くと、傾斜搬送系の駆動部２０２が停止して、基板Ｇが位置決めされる。次いで、コロ旋回機構が作動して［コロ１１２］を図１７の位置から図１８の段階を経て図１９の位置まで旋回運動させる。
【０１０５】
より詳細には、エアシリンダ２１８がピストンロッドを一定のストロークだけ後退（短縮）させる。これにより、アーム状支持部材２１４を介してコロ［１１２］の旋回端部（軸受１５６Ｌ側の端部）が下ろされ、コロ［１１２］は軸受１５６Ｒを支点として鉛直面内で回動ないし旋回する。このコロ［１１２］の旋回運動の中で、基板Ｇは図１０の傾斜姿勢からコロ［１１２］と一体に傾斜角を徐々に小さくし、やがて水平状態になる。図示省略するが、基板Ｇがコロ［１１２］上で水平状態になる時とほぼ同時にコロ［１１２］と水平搬送路１４４のコロ１４８とが面一になり、基板Ｇはコロ［１１２］のローラ部１１２ａ，１１２ｂだけでなくコロ１４８のローラ部１４８ａ，１４８ｂにも載る。ここから、コロ［１１２］が更に下方に旋回移動することにより、コロ［１１２］は基板Ｇから離れ、専らコロ１４８が基板Ｇを支持するようになる。コロ［１１２］が旋回終点（旋回範囲内の最も低い位置）に達した状態では、図１９に示すように、コロ［１１２］の旋回端部（軸受１５６Ｌ側の端部）が支点側の他端部よりも一定値以上低い逆向きの傾斜姿勢となり、コロ［１１２］は全長に亘って水平搬送路１４４のコロ１４８よりも低くなる。
【０１０６】
上記のようにして傾斜搬送路１１４のコロ［１１２］から水平搬送路１４４のコロ１４８への基板Ｇの移し変えが済むと、水平搬送系の駆動部２０２が作動して基板Ｇは水平搬送路１４４上でコロ搬送により後段のパスユニット（ＰＡＳＳL）５０へ送られる。
【０１０７】
この構成例では、搬送路切替部Ｍ6内の水平搬送路１４４がパスユニット（ＰＡＳＳL）５０からの延長として敷設され、搬送路切替部Ｍ6内の水平コロ１４８はパスユニット（ＰＡＳＳL）５０内の水平コロ１４８と共通の駆動部２０２および伝動機構（１６４，１６６，１６８）によって駆動される。一方で、搬送路切替部Ｍ6内の傾斜搬送路１４４は乾燥処理部Ｍ5からの延長として敷設され、搬送路切替部Ｍ6内の傾斜コロ［１１２］は乾燥処理部Ｍ5内の傾斜コロ１１２と共通の駆動部１５２および伝動機構（２０８，２１０，２１２）によって駆動される。これにより、搬送路切替部Ｍ6内に専用の搬送駆動部が要らず、搬送路切替のための搬送機構や搬送制御を簡便にし、搬送路切替のためのタイムロスも可及的に短縮することができる。
【０１０８】
以上、本発明の好適な一実施形態を説明したが、本発明は上記実施形態に限定されるものではなく、その技術思想の範囲内で他の実施形態や種々の変形が可能である。
【０１０９】
たとえば、上記した実施形態は、搬入部（ＩＮ）４０において基板Ｇを水平姿勢から傾斜姿勢に姿勢変換して傾斜搬送路１１４にローディングするローダ装置に係るものであった。本発明によれば、上記実施形態におけるローダ装置を、傾斜搬送路から傾斜姿勢の基板を取り出して水平姿勢に姿勢変換するアンローダ装置に転用することができる。
【０１１０】
たとえば、上記した実施形態における洗浄ユニット２４では、傾斜搬送路１１４を最後尾の搬送路切替部Ｍ6で水平搬送路１４４に切り替えている。この水平搬送路１４４は後段の熱的処理部２６内のパスユニット（ＰＡＳＳL）５０に引き込まれている。この場合、パスユニット（ＰＡＳＳL）５０内には、図２０に示すような鉛直昇降型のリフタ２２２が設けられる。このリフタ２２２は、水平搬送路１４４の下に水平に配置した昇降板２２６に複数本のリフトピン２２４を所定の間隔を置いて離散的に立設し、たとえばエアシリンダからなる昇降駆動部２２８によって昇降板２２６を鉛直方向に昇降移動させる。基板Ｇが搬入されるまではリフトピン２２４を水平搬送路１４４の下に待機させ、基板Ｇが搬入された直後に昇降板２２６を上昇させる。そうすると、リフトピン２２４がコロ１４８の隙間を通って基板Ｇを水平状態で搬送路１４４の上方に持ち上げる。そこに、横（隣）からオーブンタワー内の搬送機構４６が搬送アーム７４を挿入して基板Ｇを受け取るようになっている。
【０１１１】
本発明の一実施形態によれば、図２１に示すように、洗浄ユニット２４内の傾斜搬送路１１４をそのままパスユニット（ＰＡＳＳL）５０内に引き込み、パスユニット（ＰＡＳＳL）５０内に上記搬入部（ＩＮ）４０内のローダ装置と同一の構成で対称的（逆順）に動作するアンローダ装置を設ける構成も可能である。すなわち、パスユニット（ＰＡＳＳL）５０内に、上記搬入部（ＩＮ）４０におけるインバッファ１５４および基板姿勢変換機構１２０とそれぞれ同一の構成を有するアウトバッファ１５４'および基板姿勢変換機構１２０'を設け、上記搬入部（ＩＮ）４０における動作（ローディング動作）を時間的に巻き戻すような逆順の動作（アンローディング動作）を各部に行わせてよい。
【０１１２】
この場合、傾斜搬送路１１４に乗って基板Ｇがパスユニット（ＰＡＳＳL）５０内に搬入されると、最初に基板姿勢変換機構１２０'が動作を開始し、リフタ１７４を図１４の原位置から図１３、図１２、図１１の各段階を経て図１０の往動位置まで上昇かつ旋回運動させ、その途中で傾斜搬送路１１４のコロ１１２から基板Ｇを傾斜姿勢のままリフタ１７４のリフトピン１７８の上に移し変え、それから往動位置まで移動する間にリフタ１７４上で基板Ｇの姿勢を傾斜姿勢から水平姿勢に変換する。リフタ１７４の往動旋回動作が完了した後に、図１０および図２１に示すように、アウトバッファ１５４'が水平支持アーム１９２を基板昇降領域内の往動位置まで移動（回動）させ、支持ピン１９４を基板Ｇの下に付ける。次いで基板姿勢変換機構１２０'がリフタ１７４を往動位置から原位置まで戻す復動動作を行うと、リフタ１７４のリフトピン１７８から基板Ｇが水平姿勢のままアウトバッファ１５４'の支持ピン１９４の上に乗り移る。この状態で、オーブンタワー内の搬送機構４６が搬送アーム７４をパスユニット（ＰＡＳＳL）５０内に挿入してアウトバッファ１５４'から基板Ｇを水平状態で受け取る。なお、アウトバッファ１５４'を省いて、搬送機構４６がリフタ１７４から基板Ｇを水平状態で直接受け取ることも可能である。
【０１１３】
上記のように、この実施形態のアンローダ装置においては、基板姿勢変換機構１２０'が、リフタ１７４を傾斜搬送路１１４の下からコロ１１２の間を通り抜けして所定の高さ位置まで上昇させ、その上昇の途中に傾斜搬送路１１４から基板Ｇを傾斜姿勢のままリフタ１７４に移し変えるとともにリフタ１７４に旋回運動を行わせて基板Ｇの姿勢を傾斜搬送路１１４と同じ角度の傾斜姿勢から水平姿勢に変換し、該所定の高さ位置付近で基板Ｇを水平姿勢でアウトバッファ１５４'に渡すようにしている。このようなアンローディング方式によれば、傾斜搬送路１１４からリフタ１７４へ基板Ｇを移載する際に基板Ｇに応力を掛けずに（撓ませずに）済み、基板Ｇのデバイス形成面における回路素子や配線等を安全に保つことができる。
【０１１４】
上記した実施形態はスクラビング洗浄を行う洗浄処理装置に係るものであったが、本発明はスクラビング以外の洗浄たとえばブロー洗浄を行う洗浄処理装置にも適用可能であり、さらには浄処理装置以外の基板処理装置にも適用可能である。たとえば、上記のような塗布現像処理システムにおいては現像ユニット（ＤＥＶ）９４にも適用可能である。すなわち、現像ユニット（ＤＥＶ）９４においては、上記のように、基板ＧがプロセスラインＢの下流に向って平流し方式で搬送され、その搬送中に現像、リンス、乾燥の一連の現像処理工程が行われる。ここで、現像処理部よりも下流側の処理部つまりリンス処理部および乾燥処理部の搬送路に上記実施形態と同様の傾斜搬送路（１１４）を適用することができる。この場合、現像処理部とリンス処理部との間に、搬送路を水平型から傾斜型に切り替える搬送路切替部（つまり上記搬送路切替部Ｍ6と逆動作を行う搬送路切替部）を設けてよい。そして、乾燥処理部の後段に上記実施形態と同様のアンローダ装置（図２１）を設けてよい。
【０１１５】
本発明における被処理基板はＬＣＤ基板に限らず、他のＦＰＤ用基板、半導体ウエハ、ＣＤ基板、ガラス基板、フォトマスク、プリント基板等も可能である。
【図面の簡単な説明】
【０１１６】
【図１】本発明の適用可能な塗布現像処理システムの構成を示す平面図である。
【図２】実施形態の塗布現像処理システムにおける熱的処理部の構成を示す側面図である。
【図３】実施形態の塗布現像処理システムにおける処理の手順を示すフローチャートである。
【図４】実施形態の塗布現像処理システムにおける洗浄プロセス部の全体構成を示す正面図である。
【図５Ａ】実施形態の洗浄プロセス部におけるランプ室と搬送路の配置構造を示す側面図である。
【図５Ｂ】実施形態の洗浄プロセス部におけるロールブラシと搬送路の配置構造を示す側面図である。
【図５Ｃ】実施形態の洗浄プロセス部におけるリンスノズルと搬送路の配置構造を示す側面図である。
【図６】実施形態のスクラバ洗浄ユニットにおける搬入部内の要部の構成を示す平面図である。
【図７】実施形態における搬入部内の要部の構成（一状態）を示す側面図である。
【図８】実施形態における搬入部内の要部の構成（一段階）を示す側面図である。
【図９】実施形態における搬入部内の要部の構成（一段階）を示す側面図である。
【図１０】実施形態における搬入部内の要部の構成（一段階）を示す側面図である。
【図１１】実施形態における搬入部内の要部の構成（一段階）を示す側面図である。
【図１２】実施形態における搬入部内の要部の構成（一段階）を示す側面図である。
【図１３】実施形態における搬入部内の要部の構成（一段階）を示す側面図である。
【図１４】実施形態における搬入部内の要部の構成（一段階）を示す側面図である。
【図１５】実施形態における基板サイド支持部の一変形例を示す略斜視図である。
【図１６】実施形態における搬送路切替部内の要部の構成を示す平面図である。
【図１７】実施形態における搬送路切替部内の要部の構成（一状態）を示す側面図である。
【図１８】実施形態における搬送路切替部内の要部の構成（一段階）を示す側面図である。
【図１９】実施形態における搬送路切替部内の要部の構成（一状態）を示す側面図である。
【図２０】実施形態におけるパスユニット内の要部の構成を模式的に示す正面図である。
【図２１】別の実施形態におけるパスユニット内の要部の構成を模式的に示す正面図である。
【符号の説明】
【０１１７】
１０    プロセスステーション
２２    搬送機構
２４    洗浄プロセス部
４０    搬入部（ＩＮ）
４２    スクラバ洗浄ユニット（ＳＣＲ）
４６    搬送機構
５０    パスユニット（ＰＡＳＳL）
１１２    コロ
１１４    （傾斜）搬送路
１２０    基板姿勢変換機構（水平→傾斜）
１２０'    基板姿勢変換機構（傾斜→水平）
１３０    ロールブラシ
１３４    リンスノズル
１３６    エアナイフ
１４４    （水平）搬送路  
１４６    基板姿勢変換機構（傾斜→水平）
１４８    コロ
１５０    フレーム
１５２    搬送駆動部
１５４    インバッファ
１５６，１５８    軸受
１６０    電気モータ
１６８    交差軸型ギア
１７０    エアシリンダ
１７２    リフトベース
１７４    リフタ
１７６    梃部
１７８    リフトピン
１８０，１８２，１８４    ヒンジ部
１８６    エアシリンダ
１９２    サイド支持部
【図１】
2006131372.tif 000003
【図２】
2006131372.tif 000004
【図３】
2006131372.tif 000005
【図４】
2006131372.tif 000006
【図５Ａ】
2006131372.tif 000007
【図５Ｂ】
2006131372.tif 000008
【図５Ｃ】
2006131372.tif 000009
【図６】
2006131372.tif 000010
【図７】
2006131372.tif 000011
【図８】
2006131372.tif 000012
【図９】
2006131372.tif 000013
【図１０】
2006131372.tif 000014
【図１１】
2006131372.tif 000015
【図１２】
2006131372.tif 000016
【図１３】
2006131372.tif 000017
【図１４】
2006131372.tif 000018
【図１５】
2006131372.tif 000019
【図１６】
2006131372.tif 000020
【図１７】
2006131372.tif 000021
【図１８】
2006131372.tif 000022
【図１９】
2006131372.tif 000023
【図２０】
2006131372.tif 000024
【図２１】
2006131372.tif 000025